(57)【要約】      （修正有）【課題】病気の予防、体の痛みなどを和らげるための枕を提供する。【解決手段】表面が平である頭に接する板状部材１と、頭に接する板状部材１の裏面に重ねられた、頭に接する部材１よりも硬い材質の板状部材２〜６と、を備えた枕である。硬い材質の板状部材２〜６は、複数枚重ねられ、複数枚重ねられた硬い材質の板状部材２〜６は、頭に接する部材１から離れるにしたがって、順次硬い材質で構成された部材となっており、複数枚重ねられた硬い材質の板状部材２〜６には、頭に接する部材１よりも、縦又は横の寸法が小さく形成された部材３が含まれる。【選択図】図３
0003186051.tif 000002
【実用新案登録請求の範囲】
【請求項１】
枕は、首、後頭部に当たる部材の長さを変える事で、後頭部の血行障害防止、首の神経を痛めず、どんな形の後頭部、首でも沈み込まず程好く支える構造を特徴とするリセット枕。
【考案の詳細な説明】
【技術分野】
【０００１】本発明は、寝返りをし易く高さを調整出来るリセット枕である。
【背景技術】
【０００２】従来は、頭が沈み過ぎず高さを調整出来る枕は、なかった。
【先行技術文献】
【特許文献】
【０００３】
【特許文献１】  実用新案登録第３１５７５４５号
【考案の概要】
【考案が解決しようとする課題】
【０００４】しかしながら、上記特許文献１にあっては、枕の面が平らではないので、頭が転ろがらず寝返りし難い。性別、年齢、体重は、人それぞれ異なる為、枕の高さ、適度な軟らかさが必要であり、それに適応出来ない。
【課題を解決するための手段】
【０００５】そこで本発明は、上記課題を解決するため枕の土台部材５、６に硬い材質、部材４、３２，１、と異なる軟らかい材質を使う事により、部材の枚数で高さの調整が出来、平らな形状にする事により寝返りし易くした。
【考案の効果】
【０００６】本発明によれば睡眠時に寝返りをし易くする事により血流を高め、血管、神経、筋肉など痛めた所を修復し体の疲れ、痛みを和らげる事が期待出来る。今販売されている枕は、頭の圧力を分散させる事だけを考えて作られているので軟らか過ぎて頭が沈んでしまい、その状態で寝返りをすると首を痛め易い。また、高さも合わず表の形状も丸い為、枕の上で頭が転がり難い為、極端に寝返りが少ない。このリセット枕を使い寝返りを増やす事により、色々な病気の予防にも期待出来、沢山の人々を痛みや病気から救う事が出来る。
【図面の簡単な説明】
【０００７】
【図１】本発明の平面図である。
【図２】本発明の正面図である。
【図３】本発明の横断面図である。
【図４】本発明の使用図
【考案を実施するための形態】
【０００８】以下、本発明の実施の一形態について説明する。
【０００９】枕の部材１は、軟らかく肌触りの良い低反発ウレタンフォームなどが適している。頭は色々な形をしている為、硬い材質では、頭を痛めてしまう。手の指で押すと潰れてしまう軟らかい材質が好ましい。
【００１０】枕の部材２は、部材３よりも軟らかく部材１よりも硬い材質が良い。材質は、軟らかめのスポンジなどが適している。また、部材２は頭を適度に沈ませる役割を持ち、部材１の低反発ウレタンフォームのへこみを押し戻し適度な軟らかさを保つ部材であり手の指で押すと潰れてしまい指を離すと直ぐに元の形に戻る軟らかい材質が好ましい。
【００１１】枕の部材３は、部材４より軟らかく部材２よりも硬い材質が良い。材質は、少し軟らかめのウレタンチップフォームなどが適している。手の指で押すと厚みの７０％位、沈む材質が良い。また、図３によると基本的には部材２よりも４センチメートル前後短く切るのが好ましい。これは、後頭部の圧迫を緩める為である。
【００１２】枕の部材４は、部材５より軟らかく部材３よりも硬い材質にする。材質は、少し硬めのウレタンチップフォームなどが適している。手の指で押すと厚みの５０％位、沈む材質が良い。また、図３によると基本的には部材２よりも２センチメートル前後、短く切るのが好ましい。これは、後頭部の圧迫を緩める為である。
【００１３】本発明によると、枕の部材５は、硬めのウレタンなどが適している。硬さは枕の部材５に、頭を乗せてもへこまない材質とする。頭は、８キロ位の重さがあるので軟らかい材質では、寝返りをし難い。また、枕の強度を保つ為、硬めの材質が好ましい。また、この部材の枚数を増やし、高さを調整する。
【００１４】枕の部材６は、部材５と同じ材質が適している。また、厚みは、基本的に０，５センチメートル前後が良い。この部材を使用する、しない事で高さの微調整を行う。０，５センチメートルで高さの調整をしないと、身長、体重、性別、年齢など、色々な体型に枕の高さが適応出来ない為、０，５センチメートルの高さの調整が絶対に必要である。
【００１５】リセット枕の各部材の厚みは、色々な体格の人に適応する為、限定されない。また、人によって適した枕の高さが違う為、枕の部材５の枚数を増やし高さを合わせ、部材６を使い０，５センチメートルで微調整する。また、枕の部材１，２の厚みを変える事により、色々な頭の形に適応し軟らかさを変える。従って、部材５，の枚数は、限定されず、身長が高く太った人は枕が高くなり、部材の枚数が増え、身長が低く細い人は、枕が低くなり部材の枚数が減る。
【００１６】リセット枕の縦の長さは、基本的には３３センチメートル前後とし、横の長さは、５７センチメートル前後とする。縦の長さを３３センチメートルにしたのは、首の根本から頭の上までを測定し、それに適した長さ。横の長さを５７センチメートル前後としたのは、枕の中央で上向きに寝て横向きに寝返った時の長さを測定し、それに適した長さにした。しかし、身長や体格によって縦、横の長さが変わる為、長さは限定されない。また、平面の枕にする事により枕と敷き布団の接地面が広く枕が動き難く、朝起きた時に枕が無いと言う事が少ない。
【００１７】［０００６］に記載されている「本発明によれば睡眠時に寝返りし易くする事により」を詳しく説明します。寝返りし易い枕の条件は、１）表面は平らである事。２）適度な軟らかさを保ち頭が沈み込まない事。３）後頭部、首を痛めず、適度に支える事。４）その人に合った高さにする事。
【００１８】リセット枕の大きな特徴は２つの有ります。まず、硬さの異なる部材を上から軟らかい順に重ねる事で、頭にかかる圧力を部材ごと段階的に分散させ、沈み込まない構造にし部材３が後頭部に少し当たる様になっています。これは、枕と頭の接地面を支点にして頭が枕の上で転がり寝返りをし易くする為です。また、どんな体格の人でも適応出来る。次に、枕の部材に切り込みを入れ長さを変える事で、後頭部の血行障害防止、首の神経を痛めず、沈み込まない、適度に後頭部と首を支える構造にしました。これも、どんな体格の人でも適応出来ます。この２つの特徴が有って始めて、一人ひとりに合った寝返りし易く体を整える枕を作る事が可能になります。
【００１９】リセット枕の部材３，４は、段落［００１１］［００１２］で述べた様に基本的に４センチメートル前後、２センチメートル前後、短く切ったのは［図４］の様に人それぞれ首の長さ、太さが違う為、首を枕の角が圧迫しない様にした。長く切ると後頭部が枕に乗らず、短く切ると首を圧迫してしまう。しかし、色々な体格に適応する為、部材３，４の切り込みの長さは限定されない。
【００２０】リセット枕の高さの測定方法は例えば、敷布団に上向きに寝て部材１，２，３，４，５の上に頭を乗せ低ければ部材５を追加し程好い高さに合わせ、部材６で微調整するそのまま横向きになり鼻筋と臍を結んだ線が、敷き布団と平行である事。又は背骨が、敷き布団と平行である事とを確認する。
【００２１】リセット枕の作り方。例えば、各部材を１センチメートルの厚さ、部材１，２を縦３３センチメートル、横５７センチメートルに切り出す。部材３は縦２９センチメートルにハサミで切る。部材４は縦３１センチメートルにハサミで切る。部材５，６も部材４と同じ長さに切る。また、微調整が必要な時は、部材６の厚み０，５センチメートルを使う。［図３］の様にボンド又は、両面テープで接着する。それを枕カバーに入れる。
【００２２】本発明によると、リセット枕は、年齢、性別、体格により自由に高さ、軟らかさを選べ、その人の適正な枕を作る事が出来る。また、第三者に、高さなどを測定してもらい枕を作る事ができ、自分自身でも自分に遭った枕を作れる。
【００２３】本発明のリセット枕は、あらゆる病気の予防と色々な体の不調や痛みを和らげる事が期待出来る。今、殆どの会社がパソコンを長時間使用し、前傾で仕事をする為、首の骨が通常は反っているのが、真っ直ぐ伸び、首の骨が変形し神経圧迫を起こす為、色々な病気、体の不調、体の痛みが出てくると思われます。首の骨がずれると腰、肩、ヒザなども、ずれてしまう。それを寝ている間に寝返りし易くして、寝返りを打たせ骨格、神経、筋肉、筋などを緩める効果が期待出来る。このリセット枕が有れば子供から高齢者、男女を問わず沢山の方が病気、痛みなどから救えると確信しています。
【００２４】［００２３］に記載してある「寝返りを打たせ骨格、神経、筋肉、筋などを緩める効果」を詳しく説明します。緩めると言う事は、体のズレを調整する事です。骨格は、筋肉、筋で繋がっており左右均等に使えず使用箇所が硬直する為に骨格がズレてしまいます。それをバランス良く寝返りを沢山打つ事で体を整えます。例えば、右利きの殆どの人は右の骨盤が外にズレています。その為、右下横向きに寝ると右の骨盤が強く圧迫され、体が違和感を覚え、その向きで寝る事が極端に少なくなります。従って、左下横向き、上向きの二方向で寝返りを打ち、どんどん骨格のズレが酷く成って行きますそこで右下横向きの寝難い方向で枕の高さを合わせます。右の骨盤が外に出ているので枕の高さは左下横向きの枕の高さより１センチメートル位、高くなります。枕を高くすると右骨盤に強く掛かった圧力を右肋骨、右肩、首で圧力を分散させる事で違和感を無くし、少しずつ右下横向きで寝るようにすると三方向でバランス良く寝返りする事が出来る様になり、右骨盤を左に押し込み骨盤が調整される。完全に右骨盤の違和感が無くなったら枕の高さを少しずつ低くし、左下横向きと同じ高さにする。
【符号の説明】
【００２５】Ａ  枕本体
１  低反発ウレタンフォーム
２  軟らかいスポンジ
３  軟らかいウレタンチップフォーム
４  硬いウレタンチップフォーム
５  硬いウレタン
６  硬いウレタン
【図１】
0003186051.tif 000003
【図２】
0003186051.tif 000004
【図３】
0003186051.tif 000005
【図４】
0003186051.tif 000006
【手続補正書】
【提出日】平成25年7月4日(2013.7.4)
【手続補正２】
【補正対象書類名】実用新案登録請求の範囲
【補正対象項目名】全文
【補正方法】変更
【補正の内容】
【実用新案登録請求の範囲】
【請求項１】
表面が平である頭に接する板状部材と、前記頭に接する板状部材の裏面に重ねられた、前記頭に接する部材よりも硬い材質の板状部材と、を備えた枕であって、前記硬い材質の板状部材は、複数枚重ねられ、複数枚重ねられた前記硬い材質の板状部材は、前記頭に接する部材から離れるにしたがって、順次硬い材質で構成された部材となっており、複数枚重ねられた前記硬い材質の板状部材には、前記頭に接する部材よりも、縦又は横の寸法が小さく形成された部材が含まれることを特徴とする枕。